(57)【要約】      （修正有）【課題】開閉扉に入出力部を取付けてキャビネット本体の内部空間を増大させるとともに、開閉扉を開いたときおよび閉じたときの何れのときでも開閉扉の裏面や表面で入出力部の操作や表示確認をできるようにして操作性も向上させるようなキャビネット装置を提供する。【解決手段】開閉扉１１を閉じたときに窓部１２を通じて開閉扉表側で入出力部３０による入出力をするため入出力部３０の入出力面３１が開閉扉１１の窓１２に面するように入出力部３０を配置し、また、開閉扉１１を開いたときに開閉扉裏側で入出力部３０による入出力をするため入出力部３０を前後反転させて入出力部３０の背面が開閉扉１１に面するとともに入出力部３０の入出力面３１が開閉扉裏側に現れるように入出力部３０を配置する反転機構部３２を備えるキャビネット装置とした。【選択図】図２
2006278444.tif 000002
【特許請求の範囲】
【請求項１】
各種の装置を含む本体装置を収納するキャビネット本体と、
キャビネット本体に設けられる開閉扉と、
開閉扉に設けられる窓部と、
本体装置への入力および／または本体装置からの出力を行うために開閉扉に取付けられた入出力部と、
開閉扉を閉じたときに窓部を通じて開閉扉表側で入出力部による入出力を行うため入出力部の入出力面が開閉扉の窓に面するように入出力部を配置し、また、開閉扉を開いたときに開閉扉裏側で入出力部による入出力を行うため入出力部を表裏反転させてその背面が開閉扉表側に向くとともに前記入出力面が開閉扉裏側に現れるように入出力部を配置する反転機構部と、
を備えることを特徴とするキャビネット装置。
【請求項２】
請求項１に記載のキャビネット装置において、
前記反転機構部は、
入出力部に支持される回動軸と、
回動軸を支持する軸受部と、
を備え、回動軸を中心として入出力部を回動するように支持することを特徴とするキャビネット装置。
【請求項３】
請求項１に記載のキャビネット装置において、
前記反転機構部は、
前記開閉扉に設けられ、摺動路を有する誘導部と、
前記入出力部に設けられ、摺動路に沿って移動するととも回動するようになされた被誘導部と、
を備え、前記入出力部を誘導部に従って移動させつつ回動するように支持することを特徴とするキャビネット装置。
【請求項４】
請求項１に記載のキャビネット装置において、
前記反転機構部は、
前記入出力部に設けられた回動軸と、
回動軸とともに前記入出力部を回動させる回動駆動部と、
前記入出力部の回動位置を検出する検出センサ部と、
回動駆動部および検出センサ部が接続される制御部と、
制御部に操作信号を出力する制御信号入力部と、
を備えることを特徴とするキャビネット装置。
【請求項５】
請求項４に記載のキャビネット装置において、
前記制御信号入力部は、手動スイッチであることを特徴とするキャビネット装置。
【請求項６】
請求項４に記載のキャビネット装置において、
前記制御信号入力部は、開閉扉が開いたことを検出するセンサスイッチであることを特徴とするキャビネット装置。
【発明の詳細な説明】
【技術分野】
【０００１】
本発明は、本体装置と、この本体装置に接続される入出力部と、をともに収容するキャビネット装置に関するものである。
【背景技術】
【０００２】
キャビネット装置の従来技術について図を参照しつつ説明する。図８は従来技術のキャビネット装置の説明図であり、図８（ａ）は開閉扉を閉めたときの外観図、図８（ｂ）は開閉扉を開けたときの外観図である。キャビネット装置１００は、キャビネット本体１０、開閉扉１１、窓部１２、本体装置２０、入出力部３０を備えている。
【０００３】
キャビネット本体１０は、本体装置２０、入出力部３０を収納する筐体である。
開閉扉１１は、キャビネット本体１０に開閉自在に取り付けられ、例えば、図８（ｂ）で示すように右開きの扉である。
窓部１２は、開閉扉１１に設けられており、開閉扉１１を閉めたときでも入出力部３０の前面に窓部１２が位置するようになされ、図８（ａ）で示すように窓部１２を介して入出力部３０を見ることができる。なお、入出力部３０は、各種の装置を採用することができ、入出力部３０が目視確認用のディスプレイ装置のみであるならば窓部１２は透明板が介在してもよく、または、入力機能のみの操作部であったり、入力機能と出力機能とをともに有するタッチパネルであれば、窓部１２は外界と連通する単なる孔となる。
【０００４】
本体装置２０は、各種の装置であるが、例えば、分析装置であって液体処理装置、気体処理装置、駆動装置、制御装置または信号処理装置などである。
入出力部３０は、この本体装置２０と通信するように図示しないケーブルにより接続されている。先に説明したが、入出力機能として、入出力部３０から本体装置２０への操作信号の入力を行う入力機能と、また、本体装置２０から入出力部３０への出力を行う出力機能と、を考えるとすると、入出力部３０は入力機能のみ、出力機能のみ、または、入力出力両機能を備えても良い。なお、説明の具体化のため、本明細書中では入出力部３０はタッチパネルであって入出力機能を共に備えるものとして以下説明する。
【０００５】
このようなキャビネット装置１００では、開閉扉１１の開閉に拘らず、作業者が本体装置２０の状態を常に確認できるようにするため、図８（ｂ）で示すように、本体装置２０の側に入出力部３０が配置されるのが一般的である。しかしながら、近年ではキャビネット装置の小型化の要請や、高機能化に伴う本体装置２０の容量増加のため、キャビネット本体内の収容スペースの確保が課題となっている。そこで、その一案として入出力部の他所への配置が検討されている。
【０００６】
しかしながら、入出力部をキャビネット本体以外の場所に移した場合、メンテナンス時等では入出力部が離れたところにあるため、出力機能によりメンテナンスに必要な情報を確認したり、入力機能によりメンテナンスに必要な情報の入力がしにくいという問題があった。そこで、メンテナンスのため入出力部の位置を移動可能に構成したいという要請があった。
【０００７】
そのような入出力部の移動に関する先行技術として、例えば、特許文献１，２，３が知られている。特許文献１（特開平８−１８４５４１号公報，発明の名称「材料試験装置」）に係る発明では、タッチパネルを外側に配置して内部空間を確保するとともに、上下に移動させてタッチパネルの操作性を確保している。
また、特許文献２（特開２００４−６２４号公報，発明の名称「旋回する制御パネルを備える検査超音波システム」）に係る発明では、制御パネルを回転可能に構成して制御パネルの操作性を向上させている。
また、特許文献３（特開平５−２７７１０７号公報，発明の名称「超音波診断装置用操作パネル」）に係る発明でも、メインパネルを回転可能に構成してメインパネルの操作性を向上させている。
【０００８】
【特許文献１】特開平８−１８４５４１号公報
【特許文献２】特開２００４−６２４号公報
【特許文献３】特開平５−２７７１０７号公報
【発明の開示】
【発明が解決しようとする課題】
【０００９】
ここで、キャビネット装置１００は開閉扉１１を備えることに着目し、窓部１２を介して入出力部３０が見えるように開閉扉１１に入出力部３０を取付けてキャビネット本体１０の収容容積を増加させることが考えられる。しかしながら、開閉扉１１に単に入出力部３０を取付けた場合、通常は図８（ａ）のように窓部１２を介して入出力部３０が表示されるが、開閉扉１１を開いた場合には入出力部３０の裏側（入出力面ではない）が現われて操作できなくなる。そのため操作員が開閉扉１１の表側と裏側とを行ったり来たりすることとなり、極めて不便になると予想される。図８（ａ），（ｂ）で示すような従来技術では開閉扉１１を開いてメンテナンスを行うときでも、本体装置２０と、これに隣接する入出力部３０と、を同時に操作確認できたことから、この従来技術と比較しても開閉扉１１に入出力部３０を取付けると操作性の著しい低下が回避できず、このような構造はそのままでは採用できないという問題があった。
【００１０】
そこで開閉扉の開閉に拘らず作業者が容易に入出力部の確認・操作できるようにするため、入出力部を移動させたいという要請がある。
先に掲げた特許文献１，２，３に記載された先行技術では、入出力部を移動させて操作性を向上させるものであるが、開閉扉に取付けた入出力部に係るものではなかった。
【００１１】
そこで、本発明は上記問題点を解決するためになされたものであり、その目的は、開閉扉に入出力部を取付けてキャビネット本体の内部空間を増大させるとともに、開閉扉を開いたときおよび閉じたときの何れのときでも開閉扉の裏面や表面で入出力部の操作や表示確認をできるようにして操作性を向上させたキャビネット装置を提供することにある。
【課題を解決するための手段】
【００１２】
上記目的を達成するために、本発明の請求項１に係るキャビネット装置は、
各種の装置を含む本体装置を収納するキャビネット本体と、
キャビネット本体に設けられる開閉扉と、
開閉扉に設けられる窓部と、
本体装置への入力および／または本体装置からの出力を行うために開閉扉に取付けられた入出力部と、
開閉扉を閉じたときに窓部を通じて開閉扉表側で入出力部による入出力を行うため入出力部の入出力面が開閉扉の窓に面するように入出力部を配置し、また、開閉扉を開いたときに開閉扉裏側で入出力部による入出力を行うため入出力部を表裏反転させてその背面が開閉扉表側に向くとともに前記入出力面が開閉扉裏側に現れるように入出力部を配置する反転機構部と、
を備えることを特徴とする。
【００１３】
また、本発明の請求項２に係るキャビネット装置は、
請求項１に記載のキャビネット装置において、
前記反転機構部は、
入出力部に支持される回動軸と、
回動軸を支持する軸受部と、
を備え、回動軸を中心として入出力部を回動するように支持することを特徴とする。
【００１４】
また、本発明の請求項３に係るキャビネット装置は、
請求項１に記載のキャビネット装置において、
前記反転機構部は、
前記開閉扉に設けられ、摺動路を有する誘導部と、
前記入出力部に設けられ、摺動路に沿って移動するととも回動するようになされた被誘導部と、
を備え、前記入出力部を誘導部に従って移動させつつ回動するように支持することを特徴とする。
【００１５】
また、本発明の請求項４に係るキャビネット装置は、
請求項１に記載のキャビネット装置において、
前記反転機構部は、
前記入出力部に設けられた回動軸と、
回動軸とともに前記入出力部を回動させる回動駆動部と、
前記入出力部の回動位置を検出する検出センサ部と、
回動駆動部および検出センサ部が接続される制御部と、
制御部に操作信号を出力する制御信号入力部と、
を備えることを特徴とする。
【００１６】
また、本発明の請求項５に係るキャビネット装置は、
請求項４に記載のキャビネット装置において、
前記制御信号入力部は、手動スイッチであることを特徴とする。
【００１７】
また、本発明の請求項６に係るキャビネット装置は、
請求項４に記載のキャビネット装置において、
前記制御信号入力部は、開閉扉が開いたことを検出するセンサスイッチであることを特徴とする。
【発明の効果】
【００１８】
以上のような本発明によれば、開閉扉に入出力部を取付けてキャビネット本体の内部空間を増大させるとともに、開閉扉を開いたときおよび閉じたときの何れのときでも開閉扉の裏面や表面で入出力部の操作や表示確認をできるようにして操作性を向上させたキャビネット装置を提供することができる。
【発明を実施するための最良の形態】
【００１９】
続いて本発明を実施するための最良の形態のキャビネット装置について、図を参照しつつ説明する。図１は本形態のキャビネット装置１の説明図であり、図１（ａ）は開閉扉を閉めたときの外観図、図１（ｂ）は開閉扉を開けたときの外観図である。キャビネット装置１は、キャビネット本体１０、開閉扉１１、窓部１２、本体装置２０、入出力部３０を備えている。本形態のキャビネット装置１は、先に図８を用いて説明した従来技術のキャビネット装置１００と比較すると、入出力部３０が開閉扉１１側に配置される点が相違している。本形態では入出力部３０の配置および後述する反転機構部の構成について詳述するものとし、他のキャビネット本体１０、開閉扉１１、窓部１２、本体装置２０については、先に説明した構成と同じであるとして、同じ符号を付すとともに重複する説明を省略する。
【００２０】
入出力部３０について説明する。図２は入出力部の詳細を説明する説明図であり、図２（ａ）は開閉扉表側に入出力部が現れた場合を示す平面図、図２（ｂ）は開閉扉裏側に入出力部が現れた場合を示す平面図、図２（ｃ）は開閉扉裏側に入出力部が現れた場合を示す正面図である。
入出力部３０は、図２（ａ），（ｂ）で示すように、入出力面３１、反転機構部３２を備える。反転機構部３２は、さらに回動軸３２１、軸受部３２２を備える。開閉扉１１および入出力部３０は、回動軸３２１により回動自在に軸支される。これにより入出力部３０は開閉扉１１に対して回動自在に移動する。また、入出力部３０には、図２（ａ），（ｂ）で示すように弾性部１３が配置され、入出力部３０は開閉扉１１に衝突しないように配慮されている。
【００２１】
続いて、入出力部３０の回動操作について説明する。通常の開閉扉１１を閉じた状態では、図２（ａ）で示すように、開閉扉１１の窓部１２を通じて開閉扉表側で入出力部３０による入出力を行うため、入出力部３０の入出力面が開閉扉１１の窓部１２に面するように入出力部３０を配置する。開閉扉１１の表側で窓部１２を介して入出力面３１が現れた状態である。入出力部３０は、図１（ｂ）で示す本体装置２０と通信するようにケーブル（図示せず）を介して接続されており、窓部１２を介して入出力部３０の入出力面３１の操作部３１１（図２（ｃ）参照）から本体装置２０への操作信号の入力や、本体装置２０から入出力部３０の入出力面３１の表示部３１２（図２（ｃ）参照）への情報の出力を行う。
【００２２】
メンテナンスのため開閉扉１１を開いた状態では、図２（ｂ），（ｃ）で示すように、開閉扉裏側で入出力部３０による入出力を行うため、操作員が入出力部３０を表裏反転させて入出力部３０の背面が開閉扉１１に面するとともに入出力部３０の入出力面３１が開閉扉裏側に現れるように入出力部３０を配置し、開閉扉１１の裏側に入出力面３１が現れた状態となる。図１（ｂ）で示すように、キャビネット本体１０の本体装置２０の各種メンテナンスを行いつつ入出力部３０から本体装置２０への操作信号の入力や、本体装置２０から入出力部３０への出力により本体装置２０の状態を確認しつつ行う。
【００２３】
このように本形態によれば、開閉扉１１を閉めた場合は窓部１２を介して開閉扉１１の表側に入出力面３１を向け、また、開閉扉１１を開いた場合は、開閉扉１１に取付けた入出力部３０を反転移動させて入出力面３１を開閉扉１１の裏側に向けることができるため、メンテナンス時でも本体装置２０および入出力部３０が並んだ状態となってメンテナンスが容易になる。
また、入出力部３０が開閉扉１１に取付けられるためキャビネット本体１０の収容スペースが増え、キャビネット装置１の収容容積の増加またはキャビネット装置１の小型化に寄与することとなる。
【００２４】
続いて他の形態の入出力部３０について説明する。図３は入出力部の詳細を説明する説明図であり、図３（ａ）は開閉扉裏側に入出力面が現れた場合を示す斜視図、図３（ｂ）は入出力部を取り去った反転機構を示す斜視図である。図４は入出力部の詳細を説明する説明図であり、図４（ａ）は開閉扉表側に入出力面が現れた場合を示す平面図、図４（ｂ）は開閉扉表側に入出力面が現れた場合を示す断面図、図４（ｃ）は反転動作を示す断面図である。図５は入出力部の詳細を説明する説明図であり、図５（ａ）は反転動作を示す断面図、図５（ｂ）は開閉扉裏側に入出力面が現れた場合を示す断面図である。
【００２５】
この形態の入出力部３０は、特に反転機構部３３のみを変更したものであり、他のキャビネット本体１０、開閉扉１１、窓部１２、本体装置２０、入出力部３０は、先に図１，図８を用いて説明した構成と同じである。この反転機構部３３は、図３（ａ），（ｂ）で示すように、回動軸３３１、ガイド部３３２を備える。ガイド部３３２はさらに細長い孔である摺動路３３３を備え、この摺動路３３３に回動軸３３１が差し込まれている。このような回動軸３３１、ガイド部３３２は、図３（ｂ）でも示すように下側でも同様に形成され、上下で入出力部３０を支持する。また、入出力部３０には、図４（ｂ），図５（ｂ）で示すように弾性部１３が配置され、入出力部３０は開閉扉１１に衝突しないように配慮されている。
【００２６】
このような反転機構部３３により、摺動路３３３に沿って回動軸３３１が移動するため入出力部３０は摺動路３３３に誘導されて移動可能に構成され、さらに、入出力部３０は回動軸３３１を基準に回動可能に構成される。本形態のガイド部３３２は本発明の誘導部に相当し、また、本形態の回動軸３３１は本発明の被誘導部に相当する。また、ガイド部３３２の板状平面が入出力部３０の上下面と接するため、移動方向が拘束されて入出力部３０の水平移動と回動以外は困難としている。このためガイド部３３２の入出力部３０との当接面は、図４（ａ）で示すように入出力部３０の上下面と比較して十分広くして、入出力部３０の水平移動と回動とを容易にしている。本発明の誘導部・被誘導部はこのような水平移動と回動とを誘導する機能も含む。
これにより入出力部３０は、開閉扉１１に対して入出力部３０の線方向の移動および回動が可能となる。ここで摺動路３３３は、図４（ａ）で示すように、特に入出力部３０の略対角線上で形成される。この理由については後述する。
【００２７】
続いて、入出力部３０の回動操作について説明する。通常の開閉扉１１を閉じた状態では、図４（ａ），（ｂ）で示すように、開閉扉１１の表側から窓部１２を介して入出力面３１が現れた状態である。入出力部３０は、本体装置２０と通信するように接続されており、窓部１２を介して入出力部３０の操作部３１１（図３（ａ）参照）から本体装置２０への操作信号の入力や、本体装置２０から入出力部３０の表示部３１２（図３（ａ）参照）への出力を行う。
【００２８】
メンテナンスのため開閉扉１１を開いた状態では、以下のようにして入出力部３０を反転させる。まず、図４（ｂ）の状態から、摺動路３３３に沿って入出力部３０を移動させつつ、入出力部３０を回転させ、図４（ｂ），図４（ｃ），図５（ａ）という状態を経て、図５（ｂ）で示すように、開閉扉１１の裏側に入出力面３１が現れた状態とする。摺動路３３３は、図４（ａ）で示すように、特に入出力部３０の略対角線上で形成されているため、回動軸３３１が反対側に到達した場合に、入出力部３０が同じ位置で前後のみ反転させた状態にすることができる。
【００２９】
以上本形態について説明した。本形態では本発明の誘導部と被誘導部を具体的に掲げて説明したが、他にも各種の形態を掲げることが可能である。例えば、本形態では回動軸３３１が摺動路３３３から突出する形態としたが、摺動路３３３が溝であり回動軸３３１が突出しない様にしても良い。少なくとも、誘導部が有する摺動路に沿って移動するとともに回動するようになされた被誘導部とすれば良く、これらは適宜設計される。
【００３０】
このように本形態でも、開閉扉１１を閉めた場合は窓部１２を介して、また、開閉扉１１を開いた場合は、開閉扉１１に取付けた入出力部３０を移動させて入出力面が見えるようにして本体装置２０および入出力部３０が並んだ状態となるため、メンテナンスが容易になる。
また、入出力部３０の移動によりキャビネット本体１０の収容スペースが増えるため、キャビネット装置１の小型化に寄与する。
さらに、先に図２を用いて説明した入出力部３０では正常位置および反転位置とで広い領域が必要であったが、本形態では、入出力部３０を反転させて同じ位置で配置できるため、この点でも省スペースが可能となっており、入出力部３０を大型化することも可能である。
【００３１】
続いて他の形態の入出力部３０について説明する。図６は入出力部の詳細を説明する説明図であり、図６（ａ）は開閉扉裏側に入出力部が現れた場合を示す斜視図、図６（ｂ）は入出力部を取り去った反転機構を示す斜視図である。図７は入出力部の詳細を説明する説明図であり、図７（ａ）は反転機構の回路系の説明図、図７（ｂ）は開閉扉表側に入出力部が現れた場合を示す平面図、図７（ｃ）は開閉扉裏側に入出力部が現れた場合を示す平面図である。
【００３２】
入出力部３０は、反転機構部３４により開閉扉１１に対して自動的に回動するように構成される。この反転機構部３４は、図６（ａ），（ｂ）で示すように、回動軸３４１、軸受部３４２，モータ３４３（本発明の回転駆動部の一具体例である）、検出センサ部３４４，３４５を備える。さらに制御回路として、図７（ａ）で示すように、モータ３４３、検出センサ部３４４，３４５、制御部３４６、制御信号入力部３４７を備える。モータ３４３が駆動する回動軸３４１は、図６（ｂ）でも示すように、上下の軸受部３４２により軸支されている。また、入出力部３０には、図７（ｂ），（ｃ）で示すように弾性部１３が配置され、入出力部３０は開閉扉１１に衝突しないように配慮されている。
【００３３】
続いて、入出力部３０の回動操作について説明する。通常の開閉扉１１を閉じた状態では、図７（ｂ）で示すように、開閉扉１１の表側から窓部１２を介して入出力面３１が現れた状態である。入出力部３０は、この本体装置２０とケーブル（図示せず）を介して通信するように接続されており、窓部１２を介して入出力部３０から本体装置２０への操作信号の入力や、本体装置２０から入出力部３０への出力を行う。
【００３４】
メンテナンスのため開閉扉１１を開いた状態では、以下のようにして入出力部３０を反転させる。まず、図７（ａ）で示すように、制御信号入力部３４７から制御部３４６へ回動開始信号を送信する。この制御信号入力部３４７は、例えば図示しない手動スイッチであり、操作員が手動スイッチを操作して回動開始信号を送信することとなる。なお、これに代えて、制御信号入力部３４７は、開閉扉１１が開いたことを検出するセンサスイッチとし、開閉扉１１を開いたことを検出して回動開始信号を送信するようにしても良い。この場合、制御部３４６が所定期間経過後に回動開始するようにしたり、または、開閉扉１１が半分以開いたときに検出して回動開始するようにして、キャビネット本体１０と入出力部３０とが衝突しないように配慮しても良い。
【００３５】
回動開始により制御部３４６はモータ３４３を正転させる駆動信号を出力し、図７（ｂ）の状態から入出力部３０の回動を開始し、図７（ｃ）で示す位置まで回動させる。このとき、検出センサ部３４５がリミット位置まで入出力部３０が回動したことを検出し、検出センサ部３４５からの検出信号を制御部３４６が受信し、制御部３４６はモータ３４３に停止信号を出力する。モータ３４３は回転を停止し、図７（ｃ）で示す状態で停止する。これで開閉扉１１の裏側に入出力面３１が現れた状態となる。
【００３６】
なお、元に戻すときには、回動開始により制御部３４６はモータ３４３を逆転させる駆動信号を出力し、図７（ｃ）の状態から入出力部３０の回動を開始し、図７（ｂ）で示す位置まで回動させる。このとき、検出センサ部３４４がリミット位置まで入出力部３０が回動したことを検出し、検出センサ部３４４からの検出信号を制御部３４６が受信し、制御部３４６はモータ３４３に停止信号を出力する。モータ３４３は回転を停止し、図７（ｂ）で示す状態で停止する。これで開閉扉１１の表側に入出力面３１が現れた状態となる。
なお、本形態では回転駆動部の具体例としてモータ３４３を掲げて説明したが、例えば、減速器付きモータ等各種の形態の採用が可能である。
【００３７】
このように本形態でも、開閉扉１１を閉めた場合は窓部１２を介して、また、開閉扉１１を開いた場合は、開閉扉１１に取付けた入出力部３０を移動させて入出力面３１を反転させ、本体装置１０および入出力部３０が並んだ状態となるため、メンテナンスが容易になる。
また、入出力部３０の移動によりキャビネット本体１０のスペースが増えるため、キャビネット装置１の小型化に寄与する。
さらに、先に図２〜図６を用いて説明した入出力部３０では手動であるため、回転しないときには停止固定手段（図示せず）により固定する必要があったが、本形態ではモータ３４３が回転しないときはそのまま固定されているため、停止固定手段は不要になる。また、入出力部３０の移動は自動的なため当然に簡単かつ容易である。
【００３８】
以上本発明の各種形態について説明した。なお、これら図２〜図７を用いて説明した入出力部３０は入力機能を有する操作部３１１、出力機能を有する表示部３１２を共に備えるものとして説明したが、本発明では入力機能単体や出力機能単体のみ有する場合も含め、総称して入出力部としている。また、出力機能としてプリンタ装置・記録計の機能を有する入出力部であっても良い。このように入力機能単体や出力機能単体の入出力部であっても操作の容易化という本発明の効果を奏しうるものである。
【００３９】
また、開閉扉１１を右開きであるとして説明した。しかしながら、図示しないが開閉扉１１を左開きに構成しても良い。
さらにまた、図２の反転機構部３２や図６の反転機構部３４による入出力部３０も右開きであるとして説明した。しかしながら、図示しないが入出力部３０も左開きに構成しても良い。
さらにまた、開閉扉１１を右開きで入出力部３０を左開きに構成したり、また、開閉扉１１を左開きで入出力部３０を右開きに構成したりしても良い。この場合、開閉扉１１の裏側で入出力部３０の入出力面３１を表示させる場合、入出力面３１が本体装置２０に近くなって、両者を比較しながら見やすいという利点もある。
【００４０】
さらに、本形態の適用対象は各種あるが、例えば、環境測定装置に適用することが考えられる。環境測定装置として、気体試料としての大気を測定部内へ取り込み、気体試料に含まれる物質の濃度を測定する大気汚染測定装置などに適用しても良い。また、他の環境測定装置として、例えば、河川・湖沼から採取した水試料を測定部内へ取り込み、水試料に含まれる物質の濃度を測定する全窒素・全りん／ＣＯＤ自動測定装置などに適用しても良い。キャビネット装置の使用形態は適宜選択される。
【００４１】
このように本発明によれば、開閉扉を閉めた場合は窓部を介して、また、開閉扉を開いた場合は、開閉扉に取付けた入出力部を移動させて入出力面が見えるようにできて本体装置および入出力部が並んだ状態となるため、メンテナンスが容易になる。
また、入出力部の移動によりキャビネット本体のスペースが増えるため、キャビネット装置の小型化に寄与する。
【図面の簡単な説明】
【００４２】
【図１】本発明を実施するための最良の形態のキャビネット装置の説明図であり、図１（ａ）は開閉扉を閉めたときの外観図、図１（ｂ）は開閉扉を開けたときの外観図である。
【図２】入出力部の詳細を説明する説明図であり、図２（ａ）は開閉扉表側に入出力面が現れた場合を示す平面図、図２（ｂ）は開閉扉裏側に入出力面が現れた場合を示す平面図、図２（ｃ）は開閉扉裏側に入出力面が現れた場合を示す正面図である。
【図３】入出力部の詳細を説明する説明図であり、図３（ａ）は開閉扉裏側に入出力面が現れた場合を示す斜視図、図３（ｂ）は入出力部を取り去った反転機構を示す斜視図である。
【図４】入出力部の詳細を説明する説明図であり、図４（ａ）は開閉扉表側に入出力面が現れた場合を示す平面図、図４（ｂ）は開閉扉表側に入出力面が現れた場合を示す断面図、図４（ｃ）は反転動作を示す断面図である。
【図５】入出力部の詳細を説明する説明図であり、図５（ａ）は反転動作を示す断面図、図５（ｂ）は開閉扉裏側に入出力面が現れた場合を示す断面図である。
【図６】入出力部の詳細を説明する説明図であり、図６（ａ）は開閉扉裏側に入出力面が現れた場合を示す斜視図、図６（ｂ）は入出力部を取り去った反転機構を示す斜視図である。
【図７】入出力部の詳細を説明する説明図であり、図７（ａ）は反転機構の回路系の説明図、図７（ｂ）は開閉扉表側に入出力面が現れた場合を示す平面図、図７（ｃ）は開閉扉裏側に入出力面が現れた場合を示す平面図である。
【図８】従来技術のキャビネット装置の説明図であり、図８（ａ）は開閉扉を閉めたときの外観図、図８（ｂ）は開閉扉を開けたときの外観図である。
【符号の説明】
【００４３】
１，１００：キャビネット装置
１０：キャビネット本体
１１：開閉扉
１２：窓部
１３：弾性部
２０：本体装置
３０：入出力部（タッチパネル）
３１：入出力面
３１１：操作部
３１２：表示部
３２：反転機構部
３２１：回動軸
３２２：軸受部
３３：反転機構部
３３１：回動軸
３３２：ガイド部
３３３：摺動路
３４：反転機構部
３４１：回動軸
３４２：軸受部
３４３：モータ
３４４，３４５：検出センサ部
３４６：制御部
３４７：制御信号入力部
【図１】
2006278444.tif 000003
【図２】
2006278444.tif 000004
【図３】
2006278444.tif 000005
【図４】
2006278444.tif 000006
【図５】
2006278444.tif 000007
【図６】
2006278444.tif 000008
【図７】
2006278444.tif 000009
【図８】
2006278444.tif 000010